(57)【要約】【課題】デザイン性、掃除性の高い前面パネルを有した換気装置を提供する。【解決手段】壁面１に配設される本体枠２と、前記本体枠２に着脱自在に係合される前面パネル３Ａを有し、前記本体枠２側に運転状態に応じて点灯するランプ６を備えて、前面パネル３Ａの表面にて運転表示をする換気装置において、前記前面パネル３Ａを光透過性を持つ材料で形成することを特徴とした換気装置を構成し、運転表示は前面パネル３Ａを透過して前面パネル３Ａの表面へ表示を行うこととなり、デザイン性、掃除性の高い前面パネルを有した換気装置を提供できる。【選択図】図１
2008209094.tif 000002
【特許請求の範囲】
【請求項１】
壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルを光透過性を持つ材料で形成することを特徴とした換気装置。
【請求項２】
壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルの一部を薄肉形状に形成して運転状態表示部を設けたことを特徴とした換気装置。
【請求項３】
ランプの周囲に、前面パネル裏面に当接するように伸びる第１のガイドを設けたことを特徴とした請求項１または２記載の換気装置。
【請求項４】
第１のガイドは前面パネルに近づくにつれて内径が広がる形状としたことを特徴とした請求項３記載の換気装置。
【請求項５】
前面パネル裏面からランプの周囲に当接するように伸びる第２のガイドを設けたことを特徴とした請求項１または２記載の換気装置。
【請求項６】
第１のガイドまたは第２のガイドの内面を光反射性を持つ材料で処理したことを特徴とした請求項３〜５のいずれかに記載の換気装置。
【請求項７】
一端をランプに近接し、他端を前面パネル裏面に当接するよう光透過性を持つ光ガイド部材を備えたことを特徴とした請求項１または２記載の換気装置。
【請求項８】
前面パネルの運転状態表示部の薄肉形状を円形状としたことを特徴とした請求項２記載の換気装置。
【請求項９】
前面パネルの運転状態表示部を薄肉形状をすり鉢状に序変させ形成したことを特徴とした請求項２または８記載の換気装置。
【請求項１０】
第１のガイドの前面パネル側の端部は、前面パネルに設けた薄肉形状で形成した運伝状態表示部よりも大きくなるように形成したことを特徴とした請求項３または４記載の換気装置。
【請求項１１】
前面パネルの運転状態表示部の薄肉形状で文字または記号を形成したことを特徴とした請求項２記載の換気装置。
【請求項１２】
前面パネルの運転状態表示部の薄肉形状を複数個設けたことを特徴とした請求項２、８、１１のいずれかに記載の換気装置。
【請求項１３】
前面パネルの運転状態表示部の薄肉形状を７セグメントＬＥＤランプに対応した形状で形成したことを特徴とした請求項２記載の換気装置。
【請求項１４】
前面パネルの表面にシボ加工を施したことを特徴とした請求項１〜１３のいずれかに記載の換気装置。
【請求項１５】
前面パネルの表面に塗装を施したことを特徴とした請求項１〜１３のいずれかに記載の換気装置。
【発明の詳細な説明】
【技術分野】
【０００１】
本発明は壁面に設置される前面パネルの表面にて運転表示をする換気装置に関する。
【背景技術】
【０００２】
従来、この種の換気扇の一例として、前面パネルに透光性部材を設けた換気装置が知られている（例えば、特許文献１参照）。
【０００３】
以下、その換気装置について図９を参照しながら説明する。
【０００４】
壁部１０１の開口部１０２に設置された枠体１０３と、その枠体１０３に嵌合手段１０４により着脱自在に係合される前面パネル１０５により構成される換気装置１０６において、枠体１０４には前面パネル１０５により覆い隠されるランプ１０７が配設され、そのランプ１０７に相対する前面パネルの運転状態表示部１０８には透光性部材１０９が係合されている。
【特許文献１】実開昭６２−３６３３３号公報（図３）
【発明の開示】
【発明が解決しようとする課題】
【０００５】
このような従来の換気装置では、運転状態を表示させるために前面パネルに透光性部材を設けているので、前面パネル上に部品の継ぎ目が現れ、デザイン性に欠け、また、掃除時に使用者が汚れを拭き取っても部品の継ぎ目に埃等が残りやすく掃除性が悪いという課題があった。
【０００６】
本発明は、このような従来の課題を解決するもので、デザイン性、掃除性の高い前面パネルを有した換気装置を提供することを目的とする。
【課題を解決するための手段】
【０００７】
前記課題を解決するために、本発明の換気装置は、壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルを光透過性を持つ材料で形成することを特徴としたものである。
【０００８】
この手段により、前面パネルにランプ表示部の継ぎ目が不要になりデザイン性や掃除性が向上する換気装置が得られる。
【０００９】
また、他の手段は、壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルの一部を薄肉形状に形成して運転状態表示部を設けたことを特徴としたものである。
【００１０】
この手段により、前面パネルにランプ表示部の継ぎ目が不要になりデザイン性や掃除性が向上する換気装置が得られる。
【００１１】
また、他の手段は、ランプの周囲に、前面パネル裏面に当接するように伸びる第１のガイドを設けたことを特徴としたものである。
【００１２】
この手段により、運転表示の輝度を向上させて、視認性を確保することができる換気装置が得られる。
【００１３】
また、他の手段は、第１のガイドは前面パネルに近づくにつれて内径が広がる形状としたことを特徴としたものである。
【００１４】
この手段により、運転表示をランプの径より大きく表示して、視認性を確保することができる換気装置が得られる。
【００１５】
また、他の手段は、前面パネル裏面からランプの周囲に当接するように伸びる第２のガイドを設けたことを特徴としたものである。
【００１６】
この手段により、本体枠側は突出部の無いフラットな形状にして掃除性を確保しながら、運転表示の輝度を向上させて、視認性を確保することができる換気装置が得られる。
【００１７】
また、他の手段は、第１のガイドまたは第２のガイドの内面を光反射性を持つ材料で処理したことを特徴としたものである。
【００１８】
この手段により、輝度を落とすことなく運転表示を行うことができる換気装置が得られる。
【００１９】
また、他の手段は、一端をランプに近接し、他端を前面パネル裏面に当接するよう光透過性を持つ光ガイド部材を備えたことを特徴としたものである。
【００２０】
この手段により、ランプから距離を離した前面パネルへの光の伝達が容易になり、多種多様な構造やデザインに対応して運転表示をおこなう換気装置が得られる。
【００２１】
また、他の手段は、前面パネルの運転状態表示部の薄肉形状を円形状としたことを特徴としたものである。
【００２２】
この手段により、透過される光の輪郭が明確になり視認性を向上させることができる換気装置が得られる。
【００２３】
また、他の手段は、前面パネルの運転状態表示部を薄肉形状をすり鉢状に序変させ形成したことを特徴としたものである。
【００２４】
この手段により、本体枠と前面パネルの組み立て時のずれやランプの傾きによる照射位置のずれの影響を受けずに運転表示を行うことができる換気装置が得られる。
【００２５】
また、他の手段は、第１のガイドの前面パネル側の端部は、前面パネルに設けた薄肉形状で形成した運伝状態表示部よりも大きくなるように形成したことを特徴としたものである。
【００２６】
この手段により、本体枠と前面パネルの組み立て時のずれやランプの傾きによる照射位置のずれの影響を受けずに運転表示を行うことができる換気装置が得られる。
【００２７】
また、他の手段は、前面パネルの運転状態表示部の薄肉形状で文字または記号を形成したことを特徴としたものである。
【００２８】
この手段により、運転状態が文字によって明確に表示することができる換気装置が得られる。
【００２９】
また、他の手段は、前面パネルの運転状態表示部の薄肉形状を複数個設けたことを特徴としたものである。
【００３０】
この手段により、複数の状態の表示が行え、より解りやすく、より使いやすくすることができる換気装置が得られる。
【００３１】
また、他の手段は、前面パネルの運転状態表示部の薄肉形状を７セグメントＬＥＤランプに対応した形状で形成したことを特徴としたものである。
【００３２】
この手段により、７セグメントＬＥＤランプでの表示により、運転状態表示を多様におこなうことができる換気装置が得られる。
【００３３】
また、他の手段は、前面パネルの表面にシボ加工を施したことを特徴としたものである。
【００３４】
この手段により、より質感のある表示とすることができデザイン性を向上させることができる換気装置が得られる。
【００３５】
また、他の手段は、前面パネルの表面に塗装を施したことを特徴としたものである。
【００３６】
この手段により、塗装の色調にあわせて表示を行いデザイン性を向上させることができる換気装置が得られる。
【発明の効果】
【００３７】
本発明の換気装置によれば、壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルを光透過性を持つ材料で形成することを特徴とし、運転表示は、前面パネルを透過して前面パネルの表面へ表示を行うことで前面パネルにランプ表示部の継ぎ目が不要になりデザイン性や掃除性が向上するという効果のある換気装置を提供することができる。
【００３８】
また、壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルの一部を薄肉形状に形成して運転状態表示部を設けたことを特徴とし、運転状態表示部の薄肉形状部分を透過して運転状態の表示を行い前面パネルにランプ表示部の継ぎ目が不要になりデザイン性や掃除性が向上するとうう効果のある換気装置を提供することができる。
【００３９】
また、他の手段は、ランプの周囲に、前面パネル裏面に当接するように伸びる第１のガイドを設けたことを特徴とし、運転表示の輝度を向上させて、視認性を確保するという効果のある換気装置を提供することができる。
【００４０】
また、他の手段は、第１のガイドは前面パネルに近づくにつれて内径が広がる形状としたことを特徴とし、運転表示をランプの径より大きく表示して、視認性を確保するという効果のある換気装置を提供することができる。
【００４１】
また、他の手段は、前面パネル裏面からランプの周囲に当接するように伸びる第２のガイドを設けたことを特徴とし、本体枠側は突出部の無いフラットな形状にして掃除性を確保しながら、運転表示の輝度を向上させて、視認性を確保するという効果のある換気装置を提供することができる。
【００４２】
また、他の手段は、第１のガイドまたは第２のガイドの内面を光反射性を持つ材料で処理したことを特徴とし、輝度を落とすことなく運転表示を行うことができる換気装置を提供することができる。
【００４３】
また、他の手段は、一端をランプに近接し、他端を前面パネル裏面に当接するよう光透過性を持つ光ガイド部材を備えたことを特徴とし、ランプから距離を離した前面パネルへの光の伝達が容易になり、多種多様な構造やデザインに対応して運転表示をおこなう換気装置を提供することができる。
【００４４】
また、他の手段は、前面パネルの運転状態表示部の薄肉形状を円形状としたことを特徴とし透過される光の輪郭が明確になり視認性を向上させることができる換気装置を提供することができる。
【００４５】
また、他の手段は、前面パネルの運転状態表示部を薄肉形状をすり鉢状に序変させ形成したことを特徴とし、本体枠と前面パネルの組み立て時のずれやランプの傾きによる照射位置のずれの影響を受けずに運転表示を行うことができる換気装置を提供することができる。
【００４６】
また、他の手段は、第１のガイドの前面パネル側の端部は、前面パネルに設けた薄肉形状で形成した運伝状態表示部よりも大きくなるように形成したことを特徴とし、本体枠と前面パネルの組み立て時のずれやランプの傾きによる照射位置のずれの影響を受けずに運転表示を行うことができる換気装置を提供することができる。
【００４７】
また、他の手段は、前面パネルの運転状態表示部の薄肉形状で文字または記号を形成したことを特徴とし、運転状態が文字によって明確に表示するという効果のある換気装置を提供することができる。
【００４８】
また、他の手段は、前面パネルの運転状態表示部の薄肉形状を複数個設けたことを特徴とし、複数の状態の表示が行え、より解りやすく、より使いやすくするという効果のある換気装置を提供することができる。
【００４９】
また、他の手段は、前面パネルの運転状態表示部の薄肉形状を７セグメントＬＥＤランプに対応した形状で形成したことを特徴とし、７セグメントＬＥＤランプでの表示により、運転状態表示を多様におこなうことができる換気装置を提供することができる。
【００５０】
また、他の手段は、前面パネルの表面にシボ加工を施したことを特徴とし、より質感のある表示とすることができデザイン性を向上させることができる換気装置を提供することができる。
【００５１】
また、他の手段は、前面パネルの表面に塗装を施したことを特徴とし、塗装の色調にあわせて表示を行いデザイン性を向上させることができる換気装置を提供することができる。
【発明を実施するための最良の形態】
【００５２】
本発明の請求項１記載の換気装置は、壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルを光透過性を持つ材料で形成することを特徴とした換気装置であって、運転表示は、前面パネルを透過して前面パネルの表面へ表示を行うという作用を有する。
【００５３】
また、壁面に配設される本体枠と、前記本体枠に着脱自在に係合される前面パネルを有し、前記本体枠側に運転状態に応じて点灯するランプを備えて、前面パネルの表面にて運転表示をする換気装置において、前記前面パネルの一部を薄肉形状に形成して運転状態表示部を設けたことを特徴とした換気装置であって、運転状態表示部の薄肉形状部分を透過して運転状態の表示を行うという作用を有する。
【００５４】
また、ランプの周囲に、前面パネル裏面に当接するように伸びる第１のガイドを設けたことを特徴とした換気装置であってランプの光を散乱させることなく運転状態表示部を照射するという作用を有する。
【００５５】
また、第１のガイドは前面パネルに近づくにつれて内径が広がる形状としたことを特徴とした換気装置であって、ランプの光を散乱させることなくランプの径より大きな径で運転状態表示部を照射するという作用を有する。
【００５６】
また、前面パネル裏面からランプの周囲に当接するように伸びる第２のガイドを設けたことを特徴とした換気装置であって、ランプの光を拡散させることなく運転状態表示部へ集光するという作用を有する。
【００５７】
また、第１のガイドまたは第２のガイドの内面を光反射性を持つ材料で処理したことを特徴とした換気装置であって、ランプの光を散乱させることなく第１のガイドの内面で効率よく反射させて、運転状態表示部を照射するという作用を有する。
【００５８】
また、一端をランプに近接し、他端を前面パネル裏面に当接するよう光透過性を持つ光ガイド部材を備えたことを特徴とした換気装置であって、ランプの輝度を低下させることなく伝達して運転状態表示部を照射するという作用を有する。
【００５９】
また、前面パネルの運転状態表示部の薄肉形状を円形状としたことを特徴とした換気装置であって、ランプの光を円形にして運転状態表示部にて表示するという作用を有する。
【００６０】
また、前面パネルの運転状態表示部を薄肉形状をすり鉢状に序変させ形成したことを特徴とした換気装置であって、ランプの照射位置のずれてもすり鉢状の序変部分で吸収して運転表示を行うという作用を有する。
【００６１】
また、第１のガイドの前面パネル側の端部は、前面パネルに設けた薄肉形状で形成した運伝状態表示部よりも大きくなるように形成したことを特徴とした換気装置であって、ランプの照射位置がずれても第１のガイドが薄肉部の外側に位置して運転状態表示部を照射するという作用を有する。運転状態表示部にて運転状態に応じて文字で表示を行うという作用を有する。
【００６２】
また、前面パネルの運転状態表示部の薄肉形状で文字または記号を形成したことを特徴とした換気装置であって、運転状態表示部にて運転状態に応じて文字で表示を行うという作用を有する。
【００６３】
また、前面パネルの運転状態表示部の薄肉形状を複数個設けたことを特徴とした換気装置であって、複数の状態の表示を行うという作用を有する。
【００６４】
また、前面パネルの運転状態表示部の薄肉形状を７セグメントＬＥＤランプに対応した形状で形成したことを特徴とした換気装置であって、７セグメントＬＥＤランプの照射光を運転状態表示部に照射して表示するという作用を有する。
【００６５】
また、前面パネルの表面にシボ加工を施したことを特徴とした換気装置であって、透過される光を前面パネル面で拡散させて表示するという作用を有する。
【００６６】
また、前面パネルの表面に塗装を施したことを特徴とした換気装置であって、塗装色の光で透過させて、運転状態を表示するという作用を有する。
【００６７】
以下、本発明の実施の形態について図面を参照しながら説明する。
【００６８】
（実施の形態１）
図１および図２に示すように、壁面１に配設される本体枠２と、前記本体枠２に着脱自在に係合される前面パネル３Ａを有し、前記本体枠２内に回路ケース４を備え、その回路ケース４内に電装部品（図示せず）を備えた電装基板５を設け、その電装基板５に運転状態に応じて点灯するＬＥＤによるランプ６を備えて、前面パネル３Ａの表面にて運転表示をする換気装置において、前記前面パネル３Ａを光透過性を持つ材料（たとえば半透明のアクリル樹脂やポリエチレン樹脂など）で形成し、ランプ６の周囲に前面パネル３Ａ裏面に当接するように、前記前面パネル３Ａに近づくにつれて内径が広がる形状であり内面を光反射性を持つ材料で処理した（望ましくは金属光沢を持つ塗装を施した）第１のガイド７を設けたことを特徴とした換気装置を構成する。
【００６９】
上記構成により、運転表示は、前面パネル３Ａを透過して前面パネル３Ａの表面へ表示を行うこととなり前面パネル３Ａにランプ６表示部の継ぎ目が不要になりデザイン性や掃除性が向上する。また、第１のガイド７の内面を光反射性を持つ材料で処理した（望ましくは金属光沢を持つ塗装を施した）ことによりランプ６の光を散乱させることなくランプ６の径より大きな径で運転状態表示部８を照射することとなり運転表示の輝度を向上させて、運転表示をランプ６の径より大きく表示して、視認性を確保することができる。また、ランプ６の光を散乱させることなく第１のガイド７の内面で効率よく反射させて、運転状態表示部８を照射することとなり輝度を落とすことなく運転表示を行うことができることとなる。
【００７０】
（実施の形態２）
図３および図４に示すように、壁面１に配設される本体枠２と、前記本体枠２に着脱自在に係合される前面パネル３Ｂを有し、前記本体枠２内に回路ケース４を備え、その回路ケース４内に電装部品（図示せず）を備えた電装基板５を設け、その電装基板５に運転状態に応じて点灯するＬＥＤによるランプ６を備えて、前面パネル３Ｂの表面にて運転表示をする換気装置において、前記前面パネル３Ｂの裏面側に運転状態表示部８Ａを円形状にすり鉢状に序変させて薄肉形状に複数個形成して設け、ランプ６の周囲に前面パネル３Ｂ裏面に当接するように、前記前面パネル３Ｂに近づくにつれて内径が広がる形状であり内面を光反射性を持つ材料で処理した（望ましくは金属光沢を持つ塗装を施した）第１のガイド７を設け、前記第１のガイド７の前面パネル３Ｂ側の端部９は、前記前面パネル３Ｂに設けた薄肉形状で形成した運伝状態表示部８Ａよりも大きくなるように形成し、前面パネル３Ｂの表面にシボ加工を施したことを特徴とした換気装置を構成する。
【００７１】
上記構成により、運転状態表示部８Ａの薄肉形状部分を透過して運転状態の表示を行うこととなり前面パネル３Ｂにランプ６表示部の継ぎ目が不要になりデザイン性や掃除性が向上する。また、第１のガイド７によりランプ６の光を散乱させることなくランプ６の径より大きな径で運転状態表示部８Ａを照射することとなり運転表示の輝度を向上させて、運転表示をランプ６の径より大きく表示して、視認性を確保することができる。また、ランプ６の光を散乱させることなく第１のガイド７の内面で効率よく反射させて、運転状態表示部８Ａを照射することとなり輝度を落とすことなく運転表示を行うことができる。また、ランプ６の光を円形にして運転状態表示部８Ａにて表示することとなり透過される光の輪郭が明確になり視認性を向上させることができる。また、ランプ６の照射位置がずれてもすり鉢状の序変部分で吸収し、第１のガイド７の前面パネル３Ｂ側の端部９が薄肉部の外側に位置して運転状態表示部８Ａを照射することとなり本体枠２と前面パネル３Ｂの組み立て時のずれやランプ６の傾きによる照射位置のずれの影響を受けずに運転表示を行うことができる。また、複数の状態の表示を行うこととなり複数の状態の表示が行え、より解りやすく、より使いやすくすることができる。また、透過される光を前面パネル３Ｂ面でシボにより拡散させて表示することにより、より質感のある表示とすることとなり、デザイン性を向上させることができることとなる。
【００７２】
本実施例では、光反射性を持つ材料での処理として、（金属光沢を持つ塗装を施した）としているが、白色系の塗装や、白色あるいは銀色フィルムの貼り付け、アルミシートの貼り付け、メッキなどを施してもよく、また第１のガイドを金属や白色の樹脂で形成しても同様の効果を得ることができる。
【００７３】
（実施の形態３）
図５に示すように、前面パネル３Ｃ裏面からランプ６の周囲に当接するように伸びる第２のガイド１０を設け、一端をランプ６に近接し、他端を前面パネル３Ｃ裏面に当接するよう光透過性を持つ（望ましくはアクリルや光ファイバーなどにて形成する）光ガイド部材１１を備えたことを特徴とした換気装置を構成する。
【００７４】
上記構成により第２のガイド１０によりランプ６の光を拡散させることなく運転状態表示部８Ａへ集光することとなり本体枠２側は突出部の無いフラットな形状にして掃除性を確保しながら、運転表示の輝度を向上させて、視認性を確保することができる。また、光透過性を持つ光ガイド部材１１によりランプ６の輝度を低下させることなく伝達して運転状態表示部８Ａを照射することとなり、ランプ６から距離を離した前面パネル３Ｃへの光の伝達が容易になり、多種多様な構造やデザインに対応して運転表示をおこなうこととなる。
【００７５】
本実施例では、前面パネル３Ｃ裏面から伸びる第２のガイド１０を設けているが、実施例２に記載のランプ６の周囲から伸びる第１のガイド７を第２のガイド１０に当接させて併用してもよく、同様の効果が得られることはいうまでもない。
【００７６】
（実施の形態４）
図６および７に示すように、実施の形態１〜３のいずれかの換気装置において、前面パネル３Ｄの運転状態表示部８Ｂを薄肉形状で文字（お手入れ）を形成し、前面パネル３Ｄの表面に塗装を施したことを特徴とした換気装置を構成する。
【００７７】
上記構成により運転状態表示部８Ｂにて運転状態に応じて文字で表示を行うこととなり、運転状態が文字によって明確に表示することができる。また、塗装色の光で透過させて、運転状態を表示することとなり、塗装の色調にあわせて表示を行いデザイン性を向上させることができることとなる。
【００７８】
本実施例では、薄肉形状で文字を形成したが、使用者に与える情報として記号で形成しても同様の効果が得られることはいうまでもない。また、お手入れ時期を表す文字として（お手入れ）を形成したが、（イオン運転）や（酸素富化）などの特殊な機能を表すことにより、使用者により直感的に情報を与えることができることはいうまでもない。
【００７９】
（実施の形態５）
図８に示すように、実施の形態１〜３のいずれかの換気装置において、前面パネル３Ｅの運転状態表示部８Ｃの薄肉形状を７セグメントＬＥＤであるランプ６に対応した形状で形成したことを特徴とした換気装置を構成する。
【００８０】
上記構成により７セグメントＬＥＤであるランプ６の照射光を運転状態表示部８Ｃに照射して表示することとなり７セグメントＬＥＤであるランプ６での表示により、たとえば残運転時間を表示したり、電装基板５に設けられたセンサー（図示せず）により検知した温度や湿度を表示するなど、運転状態表示を多様におこなうことができることとなる。
【産業上の利用可能性】
【００８１】
本発明の前面パネルを透過してランプを表示させる構造によって、さまざまな機器の運転表示の用途にも適用することができる。
【図面の簡単な説明】
【００８２】
【図１】本発明の実施の形態１の換気装置を示す断面図
【図２】同換気装置の斜視図
【図３】本発明の実施の形態２の換気装置を示す断面図
【図４】同換気装置の前面パネル裏面を示す斜視図
【図５】本発明の実施の形態３の換気装置を示す断面図
【図６】本発明の実施の形態４の換気装置を示す正面図
【図７】同換気装置の前面パネル裏面を示す斜視図
【図８】本発明の実施の形態５の換気装置を示す正面図
【図９】従来の換気装置の運転状態の表示形態を示す断面図
【符号の説明】
【００８３】
１    壁面
２    本体枠
３Ａ  前面パネル
３Ｂ  前面パネル
３Ｃ  前面パネル
３Ｄ  前面パネル
３Ｅ  前面パネル
６    ランプ
７    第１のガイド
８Ａ  運転状態表示部
８Ｂ  運転状態表示部
８Ｃ  運転状態表示部
９    端部
１０  第２のガイド
１１  光ガイド部材
【図１】
2008209094.tif 000003
【図２】
2008209094.tif 000004
【図３】
2008209094.tif 000005
【図４】
2008209094.tif 000006
【図５】
2008209094.tif 000007
【図６】
2008209094.tif 000008
【図７】
2008209094.tif 000009
【図８】
2008209094.tif 000010
【図９】
2008209094.tif 000011